【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
島設備に設置された本体枠に回動可能に軸支された前面枠を備え、
該前面枠の裏面側上部に、前記島設備に設けられた補給装置から補給された遊技球を貯留する貯留タンクを設け、
該貯留タンクは導電性部材により構成され、前記前面枠を閉止方向に回動させた場合に、前記貯留タンクの後端部が、前記前面枠の開閉状態を検出するために前記補給装置に設けられた導電性の検出部に接触する遊技機において、
前記貯留タンクは、後端部に非導電性の保護部材を設け、
該保護部材に設けられた係合手段を、前記貯留タンクの後端部に設けられた被係合手段に係合させて取付けるように構成し、
前記係合手段は、
板状部材の上部に弾性変形可能な係合片部と、該係合片部の先端に形成されて前方に突出する係合爪部と、前記係合片部の基端に形成されて後方に向けて下り傾斜する係合被案内部と、
から構成する一方、
前記被係合手段は、
前記貯留タンクの後端部の上端縁部から後方に突出する帯状突出部と、該帯状突出部に上下に貫通して開口し、前記係合片部を挿入させる挿入案内通路部と、該挿入案内通路部の上側開口部の前縁部分によって、前記係合片部を係合させる被係合部と、前記挿入案内通路部の下側開口部から、前記係合爪部を挿入すると、前記係合被案内部が前記下側開口部の後縁部分に接して前記係合爪部を前記被係合部に係合させる方向に案内する係合案内部と、
から構成し、
前記前面枠を閉止すると、前記貯留タンクの後端部に係合した状態の前記保護部材が、バネ材により付勢された前記補給装置の検出部に当接することを特徴とする遊技機。
【手続補正２】
【補正対象書類名】明細書
【補正対象項目名】０００８
【補正方法】変更
【補正の内容】
【０００８】
【課題を解決するための手段】
上記課題を解決するため、
請求項１記載の発明は、島設備に設置された本体枠に回動可能に軸支された前面枠を備え、
該前面枠の裏面側上部に、前記島設備に設けられた補給装置から補給された遊技球を貯留する貯留タンクを設け、
該貯留タンクは導電性部材により構成され、前記前面枠を閉止方向に回動させた場合に、前記貯留タンクの後端部が、前記前面枠の開閉状態を検出するために前記補給装置に設けられた導電性の検出部に接触する遊技機において、
前記貯留タンクは、後端部に非導電性の保護部材を設け、
該保護部材に設けられた係合手段を、前記貯留タンクの後端部に設けられた被係合手段に係合させて取付けるように構成し、
前記係合手段は、
板状部材の上部に弾性変形可能な係合片部と、該係合片部の先端に形成されて前方に突出する係合爪部と、前記係合片部の基端に形成されて後方に向けて下り傾斜する係合被案内部と、
から構成する一方、
前記被係合手段は、
前記貯留タンクの後端部の上端縁部から後方に突出する帯状突出部と、該帯状突出部に上下に貫通して開口し、前記係合片部を挿入させる挿入案内通路部と、該挿入案内通路部の上側開口部の前縁部分によって、前記係合片部を係合させる被係合部と、前記挿入案内通路部の下側開口部から、前記係合爪部を挿入すると、前記係合被案内部が前記下側開口部の後縁部分に接して前記係合爪部を前記被係合部に係合させる方向に案内する係合案内部と、
から構成し、
前記前面枠を閉止すると、前記貯留タンクの後端部に係合した状態の前記保護部材が、バネ材により付勢された前記補給装置の検出部に当接する構成とした。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００２０
【補正方法】変更
【補正の内容】
【００２０】
この遊技盤１のガイドレール２で囲まれた遊技領域１ａには、普図始動ゲート６，６、特別図柄（特図）表示装置、普通図柄（普図）表示装置７、普図変動表示遊技の結果如何によって開閉部材９ａ，９ａを開（遊技者にとって有利な状態）閉（遊技者にとって不利な状態）させる特図始動口を兼ねた普通変動入賞装置９、特図変動表示遊技の結果如何によって大入賞口を閉じた状態（遊技者にとって不利な状態）から開放状態（遊技者にとって有利な状態）に変換するサイクル遊技を行う特別変動入賞装置５、一般入賞口８，…、サイドランプ１２，１２、風車と呼ばれる打球方向変換部材１４，１４、多数の障害釘（図示省略）などが配設されている。遊技領域１ａの最下端部中央にはアウト球を回収するためのアウト穴１３が設けられている。
【手続補正１２】
【補正対象書類名】明細書
【補正対象項目名】００２５
【補正方法】変更
【補正の内容】
【００２５】
また、貯留タンク４０の後端部（後側起立壁４０Ａ）には、後述する補給装置２００の検出部２０２（貯留タンク４０の背部に配置される部材）と貯留タンク４０（導電性部材により構成される部分）とが直接的に接触するのを防止する非導電性の保護部材６０が取り付けられている。この保護部材６０は、例えば、ＡＢＳ（アクリロニトリル−ブタジエン−スチレン）樹脂などにより成形されている。
この保護部材６０の前端上部には、図６に示すように、係合手段７０が設けられる一方、貯留タンク４０の後側起立壁４０Ａの上部には、係合手段７０と係合可能な被係合手段５０が設けられている。即ち、保護部材６０が貯留タンク４０に対して、係合手段７０と被係合手段５０との相互作用により、係合離脱可能に装着される構成となっている。
【手続補正１３】
【補正対象書類名】明細書
【補正対象項目名】００２６
【補正方法】変更
【補正の内容】
【００２６】
保護部材６０は、図５及び図６に示すように、矩形板状の起立壁６１を備えていて、この起立壁６１の背面上部には、先端が上方を向く断面略Ｌ字状の突出片６２が突設される一方、起立壁６１の背面下部には、突出片６２の後端と面一となる状態で複数の柱状突部６３，…が形成されている。起立壁６１は、図６に示すように、その上部に弾性変形可能な係合片部７１を有し、この係合片部７１の先端には、前方に突出する係合爪部７２が設けられる一方、係合片部７１の基端側背面には、後方に向けて下り傾斜する傾斜面を有する係合被案内部７３が設けられている。これら係合片部７１、係合爪部７２、係合被案内部７３により、上記係合手段７０が構成されている。なお、突出片６２は、保護部材６０を貯留タンク４０に取り付けた状態でその先端が貯留タンク４０の後側起立壁４０Ａの上端より上方に突出するように形成されている。即ち、保護部材６０は、貯留タンク４０から遊技球がこぼれ落ちるのを防止するこぼれ球防止部材としての機能を兼ね備えている。
【手続補正１４】
【補正対象書類名】明細書
【補正対象項目名】００２７
【補正方法】変更
【補正の内容】
【００２７】
一方、貯留タンク４０の後側起立壁４０Ａの上端縁部には、図５に示すように、後方に突出する帯状突出部４８が形成され、この帯状突出部４８には、図６に示すように、上下に貫通するスリット状の貫通孔４９が形成されている。そして、この貫通孔４９によって、係合片部７１を挿入させる挿入案内通路部５１が構成されている。また、この貫通孔４９の上側開口部の前縁部分によって、貫通孔４９に係合片部７１を挿入させた状態で係合爪部７２を係合させる被係合部５２が構成されている。また、貫通孔４９の下側開口部の後縁部分によって、係合爪部７２が被係合部５２と出合う際に係合被案内部７３に接して係合爪部７２を被係合部５２に係合させる方向に案内する係合案内部５３が構成されている。そして、これら挿入案内通路部５１、被係合部５２、係合案内部５３により、上記被係合手段５０が構成されている。
【手続補正１５】
【補正対象書類名】明細書
【補正対象項目名】００３５
【補正方法】変更
【補正の内容】
【００３５】
なお、本発明はこの実施の形態のパチンコ遊技機に限られるものではなく、例えば、その他のパチンコ遊技機、アレンジボール遊技機、雀球遊技機などの弾球遊技機等にも適用可能である。
また、この実施の形態では、貯留タンク４０を導電性樹脂（電気伝導性樹脂）により構成したが、その他の導電性物質、例えば金属により構成することも可能である。また、この実施の形態では、矩形板状の保護部材６０を貯留タンク４０の後側起立壁４０Ａの上部に取り付けるようにしたが、貯留タンク４０と補給装置２００の検出部２０２（貯留タンクの背部に配置される部材）との間の静電気の流れを遮断することができれば、保護部材６０の取付位置や形状等は適宜に変更可能である。
また、この実施の形態では、貯留タンク４０に被係合手段５０を設け、保護部材６０に係合手段７０を設けるようにしたが、例えば、貯留タンク４０に係合手段７０を設け、保護部材６０に被係合手段５０を設けるようにすることも可能である。
また、この実施の形態では、貯留タンク４０の背部に配置される部材として、補給装置２００の検出部２０２を例示したが、例えば、島設備から電源を導入するための電源コードを対象とすることも可能である。
【手続補正１６】
【補正対象書類名】明細書
【補正対象項目名】００３７
【補正方法】変更
【補正の内容】
【００３７】
【発明の効果】
本発明によれば、島設備に設置された本体枠に回動可能に軸支された前面枠を備え、該前面枠の裏面側上部に、前記島設備に設けられた補給装置から補給された遊技球を貯留する貯留タンクを設け、該貯留タンクは導電性部材により構成され、前記前面枠を閉止方向に回動させた場合に、前記貯留タンクの後端部が、前記前面枠の開閉状態を検出するために前記補給装置に設けられた導電性の検出部に接触する遊技機において、前記貯留タンクは、後端部に非導電性の保護部材を設け、該保護部材に設けられた係合手段を、前記貯留タンクの後端部に設けられた被係合手段に係合させて取付けるように構成し、前記係合手段は、板状部材の上部に弾性変形可能な係合片部と、該係合片部の先端に形成されて前方に突出する係合爪部と、前記係合片部の基端に形成されて後方に向けて下り傾斜する係合被案内部と、から構成する一方、前記被係合手段は、前記貯留タンクの後端部の上端縁部から後方に突出する帯状突出部と、該帯状突出部に上下に貫通して開口し、前記係合片部を挿入させる挿入案内通路部と、該挿入案内通路部の上側開口部の前縁部分によって、前記係合片部を係合させる被係合部と、前記挿入案内通路部の下側開口部から、前記係合爪部を挿入すると、前記係合被案内部が前記下側開口部の後縁部分に接して前記係合爪部を前記被係合部に係合させる方向に案内する係合案内部と、から構成し、前記前面枠を閉止すると、前記貯留タンクの後端部に係合した状態の前記保護部材が、バネ材により付勢された前記補給装置の検出部に当接する構成としたので、貯留タンクと該貯留タンクの背部に配置される補給装置の検出部との間で静電気が伝導されることを防止できる。また、係合片部に所要の力を付与して係合片部の先端側を撓ませない限り、係合爪部と被係合部との係合を解除できないように構成されていると共に、前記前面枠を閉止すると、前記貯留タンクの後端部に係合した状態の前記保護部材が、バネ材により付勢された前記補給装置の検出部に当接するので、貯留タンクと保護部材とが偶然に分離されて保護部材が脱落するといった心配がない。従って、保護部材が島設備の球流路等における球詰まりの原因となることもない。
【手続補正１７】
【補正対象書類名】明細書
【補正対象項目名】符号の説明
【補正方法】変更
【補正の内容】
【符号の説明】
１      遊技盤
４０    貯留タンク
４５    突出部
５０    被係合手段
５１    挿入案内通路部
５２    被係合部
５３    係合案内部
６０    保護部材
７０    係合手段
７１    係合片部
７２    係合爪部
７３    係合被案内部
１００  パチンコ遊技機（遊技機）
１１０  本体枠
１１１  前面枠
１２０  裏機構盤
１２３  貫通穴
１３０  遊技盤収納フレーム（裏面側構成部材）
２００  補給装置
２０２  検出部（貯留タンクの背部に配置される部材）